(57)【要約】      （修正有）【課題】寝具の展示販売に要する占有空間（占有面積）を格段に低減させることができる寝具展示台を提供する。【解決手段】略水平に配置される平面視略長方形状の平板部１１と平板部１１を床面から所定寸法離隔した状態で支持する脚部とを有する土台部材１０と、土台部材１０の平板部１１の長手方向両端部から略垂直に立ち上がるように設けられ、平板部１１上に立てられた寝具の転倒を阻止する一対の寝具支持部材２０と、一対の寝具支持部材２０の間の空間を平板部１１の長手方向に沿って所定間隔をおいて仕切ることにより、複数の寝具収納部を形成する複数の仕切部材３０とを備え、複数の寝具が平板部１１上に立てられた状態で寝具収納部に収納されるように構成されてなる寝具展示台１である。【選択図】図１
0003136909.tif 000002
【実用新案登録請求の範囲】
【請求項１】
略水平に配置される平面視略長方形状の平板部と、この平板部を床面から所定寸法離隔した状態で支持する脚部と、を有する土台部材と、
前記土台部材の前記平板部の長手方向両端部から略垂直に立ち上がるように設けられ、前記平板部上に立てられた寝具の転倒を阻止する一対の寝具支持部材と、
一対の前記寝具支持部材の間の空間を前記平板部の長手方向に沿って所定間隔をおいて仕切ることにより複数の寝具収納部を形成する複数の仕切部材と、
を備え、
複数の寝具が前記平板部上に立てられた状態で前記寝具収納部に収納されるように構成されてなることを特徴とする、
寝具展示台。
【請求項２】
寝具の試し敷きが可能な面積を有し、床面と前記土台部材の前記平板部との間に形成される空間に引出し自在に配置される寝具試敷用引出台を備えることを特徴とする、
請求項１に記載の寝具展示台。
【請求項３】
前記寝具支持部材は、
前記平板部及び前記平板部の長手方向に対して略垂直で外方に露出する第一の面と、前記平板部及び前記第一の面に対して略垂直で外方に露出する第二の面と、を有する略直方体形状の筐体部材であり、前記第一の面及び／又は第二の面に、寝具又は寝具展示台の広告宣伝用の情報が表示されてなることを特徴とする、
請求項１又は２に記載の寝具展示台。
【請求項４】
前記寝具収納部は、複数の異なる厚さの寝具が収納されるように構成されてなることを特徴とする、
請求項１から３の何れか一項に記載の寝具展示台。
【請求項５】
前記土台部材と、前記寝具支持部材と、前記仕切部材と、が分離可能とされてなることを特徴とする、
請求項１から４の何れか一項に記載の寝具展示台。
【考案の詳細な説明】
【技術分野】
【０００１】
本考案は、寝具展示台に関する。
【背景技術】
【０００２】
現在においては、マットレスや敷き布団等の寝具を展示販売するための装置や方法が種々提案されている。例えば、ベッドの構成部材（マットレス台、台カバー、マットレス等）を各々複数陳列し、消費者が各構成部材を自由に組み合わせてベッドを構成することを可能としたベッド販売方法が提案されている（例えば、特許文献１参照）。
【特許文献１】特開２００２−９５５６２号公報
【考案の開示】
【考案が解決しようとする課題】
【０００３】
ところで、マットレス等の寝具は、その上に人間が横臥するものであるため、その載置には比較的広い空間（面積）を要する。前記した特許文献１に記載された方法を採用すると、複数のマットレスを陳列するためのマットレス陳列用台座と、マットレスを試し敷きするためのマットレス台と、を別々に離れた状態で配置する必要があるため、全体としてきわめて広い空間（面積）を要するという問題があった。
【０００４】
本考案は、寝具の展示販売に要する占有空間（占有面積）を格段に低減させることができる寝具展示台を提供することを目的とする。
【課題を解決するための手段】
【０００５】
前記目的を達成するため、本考案に係る寝具展示台は、略水平に配置される平面視略長方形状の平板部と、この平板部を床面から所定寸法離隔した状態で支持する脚部と、を有する土台部材と、この土台部材の平板部の長手方向両端部から略垂直に立ち上がるように設けられ、平板部上に立てられた寝具の転倒を阻止する一対の寝具支持部材と、一対の寝具支持部材の間の空間を平板部の長手方向に沿って所定間隔をおいて仕切ることにより複数の寝具収納部を形成する複数の仕切部材と、を備え、複数の寝具が平板部上に立てられた状態で寝具収納部に収納されるように構成されてなるものである。
【０００６】
かかる構成を採用すると、複数の寝具（例えばマットレス）を、土台部材の平板部上に立てた状態で、一対の寝具支持部材の間に形成された複数の寝具収納部に収納することができる。また、土台部材の平板部は、床面から所定寸法離隔した状態で脚部によって支持されるため、床面と平板部との間に空間が形成される。従って、この空間に、展示販売に用いられる種々の部材（例えば寝具を試し敷きするための台）を収納しておくことができる。このため、通常時においては、前記空間に種々の部材を収納して、寝具の展示販売に要する占有空間（占有面積）を格段に低減させることができる一方、消費者が寝具の試用を要望した場合には、前記空間から試し敷き用の台を引き出し、寝具収納部から取り出した寝具を引き出した台の上に載置して、消費者に寝具を試用させることができる。
【０００７】
前記寝具展示台において、寝具の試し敷きが可能な面積を有し、床面と土台部材の平板部との間に形成される空間に引出し自在に配置される寝具試敷用引出台を備えることが好ましい。
【０００８】
かかる構成を採用すると、消費者が寝具の試用を要望した場合に、寝具収納部に収納された寝具を取り出すとともに、床面と土台部材の平板部との間に形成された空間から寝具試敷用引出台を引き出し、取り出した寝具を引き出した寝具試敷用引出台の上に載置して、寝具の試用を容易に実現させることができる。
【０００９】
また、前記寝具展示台において、寝具支持部材として、平板部及び平板部の長手方向に対して略垂直で外方に露出する第一の面と、平板部及び第一の面に対して略垂直で外方に露出する第二の面と、を有する略直方体形状の筐体部材を採用することができる。かかる場合において、寝具支持部材（筐体部材）の第一の面及び／又は第二の面に、寝具又は寝具展示台の広告宣伝用の情報を表示することもできる。
【００１０】
かかる構成を採用すると、寝具支持部材の外方に露出する面（第一の面及び／又は第二の面）に、寝具又は寝具展示台の広告宣伝用の情報が表示されるので、土台部材上に立てられた状態で寝具収納部に収納された複数の寝具の外観と相俟って、顕著な広告宣伝効果を得ることが可能となる。
【００１１】
また、前記寝具展示台において、複数の異なる厚さの寝具が収納されるように寝具収納部を構成する（すなわち、複数の異なる厚さの寝具が収納されるように仕切部材間の間隔を変更する）ことができる。
【００１２】
また、前記寝具展示台において、土台部材と、寝具支持部材と、仕切部材と、を分離可能とすることが好ましい。
【００１３】
かかる構成を採用すると、運搬時や保管時（非展示時）に寝具展示台を分解することができる。従って、運搬や保管に要する占有空間を一層低減させることができる。
【考案の効果】
【００１４】
本考案によれば、寝具の展示販売に要する占有空間（占有面積）を格段に低減させることができる寝具展示台を提供することが可能となる。
【考案を実施するための最良の形態】
【００１５】
以下、図面を参照して、本考案の実施形態に係る寝具展示台１について説明する。
【００１６】
まず、図１〜図４を用いて、本実施形態に係る寝具展示台１の構成について説明する。寝具展示台１は、図１〜図３に示すように、土台部材１０と、土台部材１０に立設された一対の寝具支持部材２０と、これら寝具支持部材２０の間の空間を仕切る複数の仕切部材３０と、土台部材１０の下方に収納される寝具試敷用引出台４０と、を備えている。
【００１７】
土台部材１０は、略水平に配置される平面視略長方形状の平板部１１と、平板部１１を床面から所定寸法離隔した状態で支持する脚部１２と、を有している。平板部１１は、図４に示すように、平面視略長方形状の格子状のフレーム１１ａと、フレーム１１ａの上に載置・固定される複数の薄板１１ｂと、から構成されている。平板部１１の面積は、後述する寝具試敷用引出台４０の面積よりも若干大きく設定されている。脚部１２は、平板部１１を構成するフレーム１１ａの４角から下方に延在するように設けられた所定長さの柱状部材である。なお、本実施形態においては、平板部１１及び脚部１２の双方を金属材料で構成している。
【００１８】
寝具支持部材２０は、略直方体形状の筐体部材であり、土台部材１０の平板部１１の長さ方向（図２における左右方向）両端部から略垂直に立ち上がるように設けられて、平板部１１上に立てられたマットレス（寝具）の転倒を阻止するものである。寝具支持部材２０の奥行きの長さ（図３の前後方向における寸法）は、土台部材１０の平板部１１の幅（図３の前後方向における寸法）と略同一に設定されている。寝具支持部材２０の高さ（図２及び図３の上下方向における寸法）は、支持するマットレスが倒れない程度の寸法（例えば、マットレス長さの５５％〜６０％の寸法）に適宜設定される。また、寝具支持部材２０の厚さ（図２の左右方向における寸法）は、寝具支持部材２０の立設状態を比較的安定的に維持することができるような寸法に適宜設定することが好ましい。
【００１９】
寝具支持部材２０は、土台部材１０の平板部１１及び平板部１１の長手方向（図３の左右方向）に対して略垂直で外方に露出する第一の面２１と、平板部１１及び第一の面２１に対して略垂直な第二の面２２と、を有している。そして、寝具支持部材２０の第一の面２１及び第二の面２２には、図示を省略しているが、寝具や寝具展示台１の広告宣伝用の情報が表示される。広告宣伝用の情報の表示態様は、消費者の需要を喚起するように、適宜選択することができる。なお、本実施形態においては、寝具支持部材２０を木材で構成している。
【００２０】
仕切部材３０は、一対の寝具支持部材２０の間の空間を平板部１１の長手方向（図２における左右方向）に沿って所定間隔をおいて仕切ることにより複数の寝具収納部を形成するものである。本実施形態においては、図２に示すように、寝具支持部材２０の間の空間に４つの仕切部材３０を略等間隔に配置して、略同一幅の５つの寝具収納部Ａ1、Ａ2、…、Ａ5を形成している。本実施形態における仕切部材３０は、図４に示すように、Ｕ字状に折り曲げられた形状を有する金属パイプであり、各々、両端部が土台部材１０の平板部１１に固定される。なお、仕切部材３０の後方には、土台部材１０上に載置したマットレスの落下を防止するためのバー３１が設けられている。
【００２１】
寝具試敷用引出台４０は、図２及び図３に示すように、床面Ｆと土台部材１０の平板部１１との間に形成される空間Ｓに配置されている。寝具試敷用引出台４０は、マットレスを試し敷きすることができるような面積（マットレスの大部分を下方から支持することができるような面積であって、必ずしもマットレスの面積より大きくなくてもよい）を有している。また、寝具試敷用引出台４０は、図３に示すように、その下部後方に左右一対のキャスタ４１を有しており、床面Ｆと平板部１１との間に形成される空間Ｓから外方に引き出すことができるようになっている。
【００２２】
寝具試敷用引出台４０の下部前方には、図２及び図３に示すように、左右一対の脚４２が設けられている。空間Ｓから寝具試敷用引出台４０を前方に引き出す際には、寝具試敷用引出台４０の前部を上方に持ち上げて脚４２を床面Ｆから離隔させ、キャスタ４１を転がして寝具試敷用引出台４０を引き出すようにする。そして、引き出した後に、寝具試敷用引出台４０の前部を下方に降ろして脚４２を床面Ｆに当接させると、床面Ｆと脚４２との間に作用する摩擦力により、寝具試敷用引出台４０の移動が抑制される。この結果、引き出した寝具試敷用引出台４０の上で、寝具の試し敷きや試用（試し寝）を安定的に行うことが可能となる。
【００２３】
以上説明した寝具展示台１は、分解可能となっている。すなわち、図４に示すように、土台部材１０と、寝具支持部材２０と、仕切部材３０と、が分離可能となっており、さらに、土台部材１０の平板部１１は、フレーム１１ａと薄板１１ｂとに分解することができるようになっている。
【００２４】
次に、図５〜図７を用いて、本実施形態に係る寝具展示台１の使用方法について説明する。
【００２５】
寝具展示台１を用いて５種類のマットレスＭ1、Ｍ2、…、Ｍ5を展示するには、図５及び図６に示すように、これらマットレスＭ1、Ｍ2、…、Ｍ5を、土台部材１０の平板部１１の上に立てて５つの寝具収納部Ａ1、Ａ2、…、Ａ5に各々収納する。また、通常の展示時においては、図５及び図６に示すように、床面Ｆと土台部材１０の平板部１１との間に形成される空間Ｓに、寝具試敷用引出台４０を収納しておく。
【００２６】
一方、消費者Ｐが寝具（例えばマットレスＭ3）の試用を要望した場合には、図７に示すように、床面Ｆと土台部材１０の平板部１１との間に形成される空間Ｓから寝具試敷用引出台４０を引き出し、寝具収納部Ａ3から取り出したマットレスＭ3を寝具試敷用引出台４０の上に試し敷きする。消費者Ｐは、寝具試敷用引出台４０の上に試し敷きされたマットレスＭ3を試用することができる。また、引き続き消費者が別の寝具（例えばマットレスＭ1）の試用を要望した場合には、マットレスＭ3を寝具収納部Ａ3に収納し、別の寝具収納部Ａ1から取り出したマットレスＭ1を寝具試敷用引出台４０の上に試し敷きし、消費者にマットレスＭ1を試用させることができる。このように、寝具展示台１を用いると、消費者は複数の寝具の寝心地を容易に確認することができる。
【００２７】
以上説明した実施形態に係る寝具展示台１においては、複数の寝具（マットレスＭ1〜Ｍ5）を、土台部材１０の平板部１１上に立てた状態で、一対の寝具支持部材２０の間に形成された複数の寝具収納部Ａ1〜Ａ5に収納することができる。また、土台部材１０の平板部１１は、床面Ｆから所定寸法離隔した状態で脚部１２によって支持されるため、床面Ｆと平板部１１との間に空間Ｓが形成される。従って、この空間Ｓに、展示販売に用いられる種々の部材（例えば寝具試敷用引出台４０）を収納しておくことができる。このため、通常時においては、空間Ｓに種々の部材を収納して、寝具の展示販売に要する占有空間（占有面積）を格段に低減させることができる。一方、消費者Ｐが寝具の試用を要望した場合には、空間Ｓから寝具試敷用引出台４０を引き出し、寝具収納部Ａ1〜Ａ5から取り出した寝具を寝具試敷用引出台４０の上に試し敷きして、消費者Ｐに寝具を試用させることができる。
【００２８】
また、以上説明した実施形態に係る寝具展示台１においては、寝具支持部材２０の外方に露出する面（第一の面２１及び第二の面２２）に、寝具や寝具展示台１の広告宣伝用の情報が表示されるので、土台部材１０上に立てられた状態で寝具収納部Ａ1〜Ａ5に収納された複数の寝具の外観と相俟って、顕著な広告宣伝効果を得ることが可能となる。
【００２９】
また、以上説明した実施形態に係る寝具展示台１においては、土台部材１０と、寝具支持部材２０と、仕切部材３０と、が分離可能となっているため、運搬時や保管時（非展示時）に寝具展示台１を分解することができる。従って、運搬や保管に要する占有空間を一層低減させることができる。
【００３０】
なお、以上の実施形態においては、寝具支持部材２０の間の空間に４つの仕切部材３０を略等間隔に配置して、略同一幅の５つの寝具収納部Ａ1〜Ａ5を形成した例を示したが、展示するマットレスの数に応じて仕切部材及び寝具収納部の数を適宜変更したり、展示するマットレスの厚さに応じて仕切部材間の寸法（寝具収納部の幅）を適宜変更したりすることができる。
【００３１】
また、以上の実施形態においては、寝具支持部材２０の左右外側に露出する第一の面２１及び前方に露出する第二の面２２に寝具や寝具展示台１の広告宣伝用の情報を表示した例を示したが、後方や上方に露出する面に広告宣伝用の情報を表示することもできる。また、マットレスを取り出したときに露出する内側の面にも広告宣伝用の情報を表示してもよい。
【図面の簡単な説明】
【００３２】
【図１】本考案の実施形態に係る寝具展示台の斜視図である。
【図２】図１に示す寝具展示台の正面図である。
【図３】図１に示す寝具展示台の左側面図である。
【図４】図１に示す寝具展示台の分解斜視図である。
【図５】図１に示す寝具展示台にマットレスを収納した状態の正面図である。
【図６】図１に示す寝具展示台にマットレスを収納した状態の斜視図である。
【図７】図１に示す寝具展示台の寝具試敷用引出台にマットレスを試し敷きした状態を示す説明図である。
【符号の説明】
【００３３】
１…寝具展示台、１０…土台部材、１１…平板部、１２…脚部、２０…寝具支持部材、２１…第一の面、２２…第二の面、３０…仕切部材、４０…寝具試敷用引出台、Ａ1〜Ａ5…寝具収納部、Ｆ…床面、Ｍ1〜Ｍ5…マットレス（寝具）、Ｓ…空間。
【図１】
0003136909.tif 000003
【図２】
0003136909.tif 000004
【図３】
0003136909.tif 000005
【図４】
0003136909.tif 000006
【図５】
0003136909.tif 000007
【図６】
0003136909.tif 000008
【図７】
0003136909.tif 000009